Podtech/llm-jp-corpus-v4-ja_patent huggingface dataset:
(57)【要約】【課題】  従来のディスクケースはメーカーによって大きさがまちまちで不ぞろいの為、本棚などに収めるとデコボコして整理整頓が難しい上に、ディスクケース以外にディスクの落下を防ぐために、保護ケースを別途に装着する必要があった。【解決手段】  書類などを入れるファイルケースの大きさに、ディスクケースの大きさを合わせる為に、ページを２層に分けて、下層部のディスク収納ページを、上層部の裏側にファイルケースページの寸法と同じになるようにずらして取り付け、なおかつ、ディスクを入れるポケットの向きを、全ページが固定されているファイルケース本体の方に向ける事により、ケースが閉じられている時には、ディスクケースをどのような方向に向けても、ディスクがケースから落下しないようになるので、保護ケースを別途に用意する必要がなくなる。【選択図】  図１
2006206182.tif 000002
【特許請求の範囲】
【請求項１】
書類などを入れるファイルケース（例えばＢ５，Ａ４，Ａ３サイズなど）と同じ大きさで、１２センチのコンパクトディスク等のディスクが１ページに４枚以上収納出来るように、ディスクを入れる部分を上層部と下層部とに分け、下層部を上層部の裏側にずらして、ファイルケースページと同じ大きさになるように取り付け、上層部と下層部のディスク収納ポケットを、ファイルケースページ固定箇所に向ける事により、ファイルケースに保護ケースを別途付けなくても、ディスクがファイルケースから転がり落ちないディスク収納ケース。
【発明の詳細な説明】
【技術分野】
【０００１】  本発明は、標準的（例えばＢ５，Ａ４，Ａ３，その他のサイズ）ファイルケースと同じ大きさに、１２センチディスクを収納することに関する。
【背景技術】
【０００２】  店頭で販売されている従来製品の１２センチコンパクトディスク等を収納するディスク収納ケースは、ディスクの大きさに合わせて作られているため、ディスクケースの大きさがまちまちであった。【０００３】  それに、ディスクがケースから転げ落ちないように、ディスクの入ったケース自体を入れる保護ケースが付属していた。
【発明の開示】
【発明が解決しようとする課題】
【０００４】  従来の１２センチディスクケースでは、同じメーカー製品のケースを購入しなければ、形がまちまちで、ケースを収納する本棚に収めた時に、デコボコしたり、本棚のスペースが無駄になったりしていた。
【課題を解決するための手段】
【０００５】  本発明は書類などを入れたりする、標準的なファイルケースの大きさで作ることにより、標準的なファイルケースと一緒に本棚などに収納を可能にし、整然と整理整頓出来る。【０００６】  ディスクの大きさにファイルケースを合わせるのではなく、ファイルケースの大きさに合わせるように、ディスクの収納ポケットを、添付図、図１のように上層部と下層部とに分けて、下層部のディスク収納ポケットをファイルケースページのサイズに合わせて、上層部の裏側にずらして取り付ける。【０００７】  ディスク収納ポケットを添付図、図１のように、ファイルケースのページが固定されている方向に向ける。
【発明の効果】
【０００８】  ディスク収納ポケットがファイルケースのページが固定されている方向に向ける事により、ファイルケースを閉じていれば、保護ケースが無くても、ディスクが収納ポケットから転がり落ちることが無いので、コストを下げることが出来る。【０００９】  標準的なファイルケースと同じ大きさなので、書類などが入ったファイルケースと一緒に置いてもデコボコしないので整理整頓がしやすい。
【発明を実施するための最良の形態】
【００１０】  ページを添付図、図１のように、上層、下層に分けて、上層のページはファイルケースに固定し、ディスク幅より１センチほど長い幅に作り、下層のページもディスク幅より１センチほど長い幅にしてファイルケースページの大きさに合うように、下層のページを上層のページの裏側にずらして固定する。【００１１】  ファイルケースからディスクの落下を防ぐために、ディスクを収納するポケットを、添付図、図１のよに、上層、下層共に、ファイルケースのページが固定されている方向に向ける。
【実施例】
【００１２】  Ａ４サイズのファイルケースで実施したところ、ファイルケースを閉じていれば、ファイルケースをどのような方向に向けても、ディスクは落下せず、ファイルケースに留まっていた。【００１３】  標準的なファイルケースと大きさが同じなので、一緒に並べて収める事が出来た。
【図面の簡単な説明】
【００１４】
【図１】  ディスク収納ファイルケースの上層部と下層部のページに、ディスクを入れた状態の斜視図である。
【図２】  下層部のディスク収納形態、ディスク取り出し方を示した平面図である。
【符号の説明】
【００１５】  １    ディスク収納ファイルケース本体
２    全ページ固定箇所
３    ページ上層部
４    ページ下層部
１ｐ  ディスク収納ポケット１
２ｐ  ディスク収納ポケット２
３ｐ  ディスク収納ポケット３
４ｐ  ディスク収納ポケット４
１ｄ  ディスク１
２ｄ  ディスク２
３ｄ  ディスク３
４ｄ  ディスク４
１ｋ  上層部裏側下層部固定箇所
１ｇ  次ページ
【図１】
2006206182.tif 000003
【図２】
2006206182.tif 000004
(57)【要約】【課題】密封された容器に手を汚さずに好みに応じて味を調整でき収納スペースに収納された添加物が加えるのを目で確認できるふた。【解決手段】ふたに設けられた添加物を収納するスペースを加工したものを透明の素材にする。【選択図】図１
2006206181.tif 000002
【特許請求の範囲】
【請求項１】
飲料水を収納する容器を密封するための容器のふたに、突起物を備えた収納スペースを設けて容易に突き破れるふたを備えたことを特徴とするふた。
【請求項２】
飲料水を収納する容器のふたに突起物を備えた収納スペースを設ける個数に制限はない。
【請求項３】
飲料水を収納する容器のふたに突起物を備えた収納スペースの材質に制限はない。
【請求項４】
飲料水を収納する容器のふたに突起物を備えた収納スペースは透明で中身が見えること。
【請求項５】
飲料水を収納する容器のふたは突起物を備えたクリープ容器も含まれる
【請求項６】
飲料水を収納する容器のふたに設けられた収納スペースは指で押して簡単に変形させられる硬さであること。
【請求項７】
収納スペースに設けられた突起物の硬さは飲料水容器のふたを突き破れる硬さであること。
【発明の詳細な説明】
【技術分野】
【０００１】本発明は、密封された容器のふたに、突起物を備えた透明な収納スペースを設けた、ふたに関するものである
【背景技術】
【０００２】従来から、突起物を備えた飲料缶容器があった。この例として特許文献１に開示さているものがある
【特許文献１】    特開２００２−３７０７４６
【発明の開示】
【発明が解決しようとする課題】
【０００３】しかし、従来のような突起物を備えた飲料缶容器では、缶容器内に収納した添加物が見えないため、缶内に加えることができたか目で確認できない。本発明は、このような不都合を解決することを課題とする。
【課題を解決するための手順】
【０００４】  この課題を解決するための請求項４の発明は、密封された容器のふたに、突起物を備えた透明な素材でできた収納スペースを設けたことを特徴とする。
【発明の効果】
【０００５】本発明により、密封された容器のふたに、突起物を備えた透明な素材でできた収納スペースを設けたことにより上から収納部を押すことにより、突起物でふたを破り収納されていた添加物が加えらることが目で確認できる。
【発明を実施するための最良の形態】
【０００６】図１は、密封された容器のふたに、突起物を備えた透明な素材でできた収納スペースを特徴とする飲料水容器の断面図。同図に示すように、添加物を加えたときに目に見えて確認できる。
【産業上の利用可能性】
【０００７】本発明に係る容器のふたは、工業的に量産する事が可能であるため、産業上の利用可能性を有する。
【図面の簡単な説明】
【０００８】
【図１】  密封された容器のふたに、突起物を備え透明な素材でできた収納スペースを設けた容器の断面図。
【０００９】
【図２】  本発明の斜視図
【符号の説明】
【００１０】１  飲料水容器本体
２  飲料水容器を密封したふた
３  飲料水容器を密封したふたに突起物を備えた透明な素材でできた収納スペース
４  飲料水容器を密封したふたに設けられた収納スペースの突起物
５  添加物
【図１】
2006206181.tif 000003
【図２】
2006206181.tif 000004
(57)【要約】【課題】中穴付きの物品を簡単に必要枚数取り分けて、残余を包装状態で保管でき、不燃ごみの減量化を図ることができる包装材を提供する。【解決手段】ガスコンロ用マットＭのような中穴付き物品を固定するため、基板１に複数の挟持片２を設けると共に、挟持片２の間から延びる受止板３を設け、挟持片２の基端の罫線を基板１の周方向に沿って屈曲させ、挟持片２の両端基部に、切込により保持部４を形成し、基板１から挟持片２を引き起こして、物品の中穴に挟持片２を挿入し、挟持片２の復元に伴い、物品を保持部４に挟み込んで、受止板３を物品に沿わせるようにする。この状態で袋詰めにして販売すると、袋を開いて物品を取り出し、中穴から挟持片２を引き抜くことにより、必要な枚数だけ物品を簡単に取り分けることができ、その後、残った物品を袋に戻して保管しておくことができる。【選択図】図２
2006206102.tif 000002
【特許請求の範囲】
【請求項１】
中穴付き物品を固定するため、基板に複数の挟持片を設けると共に、挟持片の間から延びる受止板を設け、挟持片の基端の罫線を基板の周方向に沿って屈曲させ、挟持片の両端基部に、切込により保持部を形成し、基板から挟持片を引き起こして、物品の中穴に挟持片を挿入し、挟持片の復元に伴い、物品を保持部に挟み込んで、受止板を物品に沿わせるようにした包装用台紙。
【発明の詳細な説明】
【技術分野】
【０００１】
この発明は、ガスコンロ用マット等の中穴付き物品を保持する包装用台紙に関するものである。
【背景技術】
【０００２】
一般に、アルミ箔を皿状にプレスした中穴付きのガスコンロ用マットは、複数枚重ねた状態で、マットに対応する形状とした透明な樹脂成型品である２枚のカバーで挟み込み、両方のカバーを粘着テープで止着して販売される。また、カバーとマットの間には、商品名等を印刷した紙製のラベルが挿入されている。
【発明の開示】
【発明が解決しようとする課題】
【０００３】
ところで、上記のような包装では、粘着テープを切断して必要な枚数のマットを取り分けると、残ったマットを保管するためには、再度カバーで挟み直して、粘着テープを貼り付けなければならず、手間がかかるという問題がある。
【０００４】
また、このときラベルが捨てられると、商品の訴求力が失われ、全てのマットを使用した後、カバーを廃棄処分する際、嵩高い不燃ごみが発生するという問題もある。
【０００５】
そこで、この発明は、物品を簡単に必要枚数取り分けて、残余を包装状態で保管でき、不燃ごみの減量化を図ることができる包装材を提供しようとするものである。
【課題を解決するための手段】
【０００６】
上記課題を解決するため、この発明は、中穴付き物品を固定するため、基板に複数の挟持片を設けると共に、挟持片の間から延びる受止板を設け、挟持片の基端の罫線を基板の周方向に沿って屈曲させ、挟持片の両端基部に、切込により保持部を形成し、基板から挟持片を引き起こして、物品の中穴に挟持片を挿入し、挟持片の復元に伴い、物品を保持部に挟み込んで、受止板を物品に沿わせるようにしたのである。
【発明の効果】
【０００７】
この包装用台紙では、複数枚の中穴付き物品を重ねて固定した状態で、袋詰めにして販売すると、袋を開いて物品を取り出し、中穴から挟持片を引き抜くことにより、必要な枚数だけ物品を簡単に取り分けることができ、その後、残った物品を袋に戻して、衛生的な状態で保管しておくことができる。
【０００８】
また、このような包装材を廃棄する際には、台紙を可燃ごみとして処分でき、袋を小さく丸めて処分すれば、嵩張る不燃ごみが発生することもない。
【発明を実施するための最良の形態】
【０００９】
以下、この発明の実施形態を添付図面に基づいて説明する。
【００１０】
図１に示す包装用台紙は、板紙を材料とするものであり、中穴付きガスコンロ用マットの包装に使用される。この台紙のブランクでは、八角形状の基板１の対向する二辺と、その両側に隣接する辺とにわたって一対の挟持片２が連設され、これらの挟持片２の間の対向する二辺に受止板３が連設されている。
【００１１】
挟持片２の両端基部には、内側へ湾曲した切込により保持部４が形成され、基板１と挟持片２の境界をなす罫線の角部には切目５が入れられている。受止板３には、断続的な切目を入れた罫線６が複数本幅方向に設けられている。
【００１２】
このような台紙を使用してガスコンロ用マットを包装する際には、図２に示すように、マットＭを複数枚重ね、基板１から挟持片２を引き起こして、マットＭの中穴に挟持片２を挿入する。このとき、挟持片２の基端罫線の角部に切目５が入っているので、挟持片２を容易に引き起こすことができる。
【００１３】
そして、挟持片２から手を離すと、挟持片２の復元に伴い、マットＭが保持部４に挟み込まれて固定される。その後、受止板３を罫線６沿いに折り曲げて、マットＭの裏面に沿わせた状態で、図３に示すように、マットＭを台紙と共にプラスチックフィルム製の袋Ｐに収納し、袋Ｐを封緘する。
【００１４】
このように包装すると、店頭において、複数の袋Ｐを、マットＭが嵌まり合うように積み重ねて、コンパクトに陳列することができる。
【００１５】
また、マットＭを使用する際には、袋Ｐを開封して、台紙に固定されたマットＭを取り出し、中穴から挟持片２を引き抜くことにより、必要な枚数だけマットＭを簡単に取り分けることができ、その後、残ったマットＭを袋Ｐに戻して、衛生的な状態で保管しておくことができる。
【００１６】
また、この包装においては、台紙の基板１の表面に商品名等を印刷しておくと、別途ラベルを挿入する必要がなく、包装の合理化を図ることができ、必要な枚数のマットＭを取り分けて、残りのマットＭを保管しておく際にも、訴求力が確保される。
【００１７】
さらに、この包装材を廃棄する際には、台紙を可燃ごみとして処分でき、袋Ｐは小さく丸めて処分することができるので、樹脂成型品のカバーを用いた従来の包装のように、嵩張る不燃ごみが発生することもない。
【００１８】
ところで、上記実施形態では、基板１の周囲に挟持片２及び受止板３を各一対設けたものを示したが、さらに多数の挟持片２及び受止板３を放射状に設けてもよく、挟持片２を取り囲むように受止板３を環状にしてもよい。
【００１９】
また、この台紙は、ガスコンロ用マットだけでなく、環状蛍光灯や丸鋸の刃の包装に使用することもできる。その際には、受止板３を内側へ巻き込むように折り曲げて、受止板３で物品を包み込むようにするとよい。
【図面の簡単な説明】
【００２０】
【図１】この発明の実施形態に係る包装用台紙のブランクを示す図
【図２】同上のガスコンロ用マットへの挿入過程を示す斜視図
【図３】同上の袋による包装状態を示す斜視図
【符号の説明】
【００２１】
１  基板
２  挟持片
３  受止板
４  保持部
５  切目
６  罫線
Ｍ  ガスコンロ用マット
【図１】
2006206102.tif 000003
【図２】
2006206102.tif 000004
【図３】
2006206102.tif 000005
(57)【要約】【課題】ビール、清涼飲料等の液体を樽等の容器に充填する液体充填機に接続される液体輸送装置であって、充填機に液体を輸送する際、液体の圧力変動を小さくする。【解決手段】液体を充填すべき容器の配置された液体充填機１に通じる輸送管３と、輸送管３に配設され、液体を充填機１に輸送する液体輸送ポンプ６と、液体輸送ポンプ６を回転駆動するサーボモータ７と、輸送管３に配設され、液体輸送ポンプ６によって輸送された液体圧力を検出する圧力検出器８と、圧力検出器８およびサーボモータ７にそれぞれ接続された電子制御装置９とを備え、圧力検出器８で検出された圧力値を電子制御装置９に伝達し、この圧力値を一定値とするように電子制御装置９でサーボモータ７の駆動を制御し、液体の圧力変動を小さくして液体を容器に充填することから構成される。【選択図】図１
2006206101.tif 000002
【特許請求の範囲】
【請求項１】
液体を充填すべき容器の配置された液体充填機に通じる輸送管と、該輸送管に配設され、液体を充填機に輸送する液体輸送ポンプと、該液体輸送ポンプを回転駆動するサーボモータと、該輸送管に配設され、該液体輸送ポンプによって輸送された液体圧力を検出する圧力検出器と、この圧力検出器およびサーボモータにそれぞれ接続された電子制御装置とを備え、圧力検出器で検出された圧力値を電子制御装置に伝達し、この圧力値を一定値とするように電子制御装置でサーボモータの駆動を制御し、液体の圧力変動を小さくして液体を容器に充填することを特徴とする液体輸送装置。
【請求項２】
請求項1において、液体がビールまたは清涼飲料である請求項１に記載の液体輸送装置。
【発明の詳細な説明】
【技術分野】
【０００１】
本発明はビール、清涼飲料等の液体を樽等の容器に充填する液体充填機に接続される液体輸送装置に係り、詳細には充填機に液体を輸送する際、液体の圧力変動を小さくする液体輸送装置に関する。
【背景技術】
【０００２】
液体充填機を通して樽等の容器にビール、清涼飲料等の液体を充填する際、液体の充填機への供給圧力が変動すると、充填精度が低下する。このため、前記供給圧力の変動を小さくする目的で、液体充填機に液体輸送装置を接続する必要がある。
【０００３】
上述の液体輸送装置として、従来、図２に示される構造のものが知られている。図２において、１は液体充填機であって、この液体充填機１には、液体を充填するための樽２が配置されるとともに、輸送管３を介して充填機用のクッションタンク２０（液体輸送装置）が接続される。図２中、４は流量計、５はバルブ、２１は目視圧力計である。
【０００４】
そして、例えば、充填すべき液体がビールの場合、クッションタンク２０（液体輸送装置）内を炭酸ガスで加圧し、このガス圧力をガス圧制御弁２２で精密に制御することにより液体の圧力変動を小さく押えていた。２３は液面計である。
【０００５】
しかし、上述の公知の液体輸送装置ではクッションタンク２０として大きなタンクが必要であり、さらに、ガス圧制御弁２２および液面計２３が必要であり、さらにまた、ガス圧制御弁２２、液面計２３、タンク２０本体の殺菌洗浄も必要であり、大きな費用を必要とする。
【特許文献１】特開平１１−３０１６１２号公報
【発明の開示】
【発明が解決しようとする課題】
【０００６】
本発明の課題は液体充填機にビール、清涼飲料等の液体を輸送する際、液体充填機に接続して液体の圧力変動を簡易な手段で小さくし、上述の公知技術に存する欠点を改良した液体輸送装置を提供することに存する。
【課題を解決するための手段】
【０００７】
上述課題を解決するため、本発明によれば、液体を充填すべき容器の配置された液体充填機に通じる輸送管と、該輸送管に配設され、液体を充填機に輸送する液体輸送ポンプと、該液体輸送ポンプを回転駆動するサーボモータと、該輸送管に配設され、該液体輸送ポンプによって輸送された液体圧力を検出する圧力検出器と、この圧力検出器およびサーボモータにそれぞれ接続された電子制御装置とを備え、圧力検出器で検出された圧力値を電子制御装置伝達し、この圧力値を一定値とするように電子制御装置でサーボモータの駆動を制御し、液体の圧力変動を小さくして液体を容器に充填することを特徴とする。
【発明の効果】
【０００８】
本発明は液体充填機にビール、清涼飲料等の液体を輸送する際、簡易な構造の液体輸送装置を液体充填機に接続して液体の圧力変動を小さくする。
【発明を実施するための最良の形態】
【０００９】
以下、本発明を添付図面を用いて詳述する。
【００１０】
図１は本発明にかかる液体輸送装置Ｘの一具体例の略図である。１は液体充填機であって、ビール、清涼飲料等の液体を充填すべき樽等の容器２を配置するとともに、流量計４、バルブ５を介して輸送管３に接続している。
【００１１】
この輸送管３には、液体を矢印方向の充填機１に輸送する液体輸送ポンプ６が配設される。液体輸送ポンプ６はサーボモータ７と連結され、サーボモータ７の駆動力により液体輸送ポンプ６が回転駆動され、液体は輸送管３を通して矢印方向の液体充填機１に輸送される。
【００１２】
さらに、輸送管３の液体輸送ポンプ６よりも下流側には圧力検出器８が配設され、液体輸送ポンプ６によって輸送された液体圧力を検出する。
【００１３】
この圧力検出器８はサーボモータ７と電子制御装置９を介して接続され、圧力検出器８で検出された圧力値を電子制御装置９が受け、この圧力値を一定値とするように電子制御装置９によってサーボモータ７の駆動を制御し、液体の圧力変動を小さくして液体を樽２に充填する。
【産業上の利用可能性】
【００１４】
上述のとおり、本発明にかかる液体輸送装置は電子制御装置が圧力検出器からの検出圧力を受け、この圧力値が一定になるように電子制御装置によってサーボモータが制御されるから、充填機に液体を輸送する際、従来のようにクッションタンクのような大きな装置を必要とせずに液体の圧力変動を小さくして充填精度を向上する。したがって、本発明はビール、清涼飲料等の食品工業に利用可能性が高い。
【図面の簡単な説明】
【００１５】
【図１】本発明にかかる液体輸送装置の一具体例の説明図である。
【図２】従来の液体輸送装置の説明図である。
【符号の説明】
【００１６】
Ｘ  液体輸送装置
１  液体充填機
２  樽
３  輸送管
４  流量計
５  バルブ
６  液体輸送ポンプ
７  サーボモータ
８  圧力検出器
９  電子制御装置
【図１】
2006206101.tif 000003
【図２】
2006206101.tif 000004
(57)【要約】【課題】非導電性基板の上に導電性ペーストのコイルパターンを印刷したコイルシートを複数枚積層した積層コイルにおいて、コイルの巻数を任意に調整できるコイルを実現する。【解決手段】導電性ペーストにより複数個のコイルパターンを印刷した非導電性基材を積層し、スルーホールにてそれぞれの層の前記コイルパターンを電気的に接続して複数層のコイルをひとつの積層構造体として形成した積層コイルにおいて、前記積層コイルを複数枚用い、これらを直列接続したことを特徴とする積層コイル。【選択図】図１
2006067671.tif 000002
【特許請求の範囲】
【請求項１】
導電性ペーストにより複数個のコイルパターンを印刷した非導電性基材を積層し、スルーホールにてそれぞれの層の前記コイルパターンを電気的に接続して複数層のコイルをひとつの積層構造体として形成した積層コイルにおいて、前記積層コイルを複数枚用い、これらを直列接続したことを特徴とする積層コイル。
【請求項２】
導電性ペーストにより複数個のコイルパターンを印刷したセラミック基材を積層し、スルーホールにてそれぞれの層の前記コイルパターンを電気的に接続して複数層のコイルをひとつの積層構造体として形成した積層セラミックコイルにおいて、前記積層セラミックコイルを複数枚用い、これらを直列接続したことを特徴とする積層セラミックコイル。
【請求項３】
導電性ペーストにより複数個のコイルパターンを印刷した非導電性基材を積層し、スルーホールにてそれぞれの層の前記コイルパターンを電気的に接続して複数層のコイルをひとつの積層構造体として形成した積層コイルにおいて、前記積層コイルを複数枚用い、これらを直列接続した積層コイルを用いたことを特徴とした電動機。
【発明の詳細な説明】
【技術分野】
【０００１】
本発明は積層コイルに関する。
【背景技術】
【０００２】
従来の積層コイルを、図２に示す。複数個のコイルパターン１１６、１１７、１１８、１１９を印刷した非導電性基材１１１、１１２、１１３、１１４、１１５を積層し、スルーホールにてそれぞれの層の前記コイルパターンを電気的に接続して複数層のコイルをひとつの積層構造体として形成している(例えば、特許文献１、２参照)。
【特許文献１】特開平５−３３６７１２号公報
【特許文献１】特開２００３−１７４７４９号公報
【発明の開示】
【発明が解決しようとする課題】
【０００３】
上記積層コイルはモータの巻線に利用されるが、その巻き数はモータが使用される回転数や負荷トルク、電源電圧により異なり、それぞれの条件に応じて最適な巻数にする必要がある。しかしながら、従来の積層コイルの巻数は、製造プロセスで決まってしまうために、回転数や電圧などモータの使用環境の変化による巻数調整がしにくく、さまざまなモータ仕様に対応できないことが大きな課題であった。特に巻数が大きい場合は積層できる基材に限界があるため、１００ターンを越えるような用途では製作しにくいことが問題である。
【課題を解決するための手段】
【０００４】
上記課題を解決するために本発明は、導電性ペーストにより複数個のコイルパターンを印刷した非導電性基材を積層し、スルーホールにてそれぞれの層の前記コイルパターンを電気的に接続して複数層のコイルをひとつの積層構造体として形成した積層コイルにおいて、前記積層コイルを複数枚用い、これらを直列接続したことを特徴とするため、直列に接続する積層コイルの枚数を調整することで、コイルの巻数を任意に設定することが可能である。
【発明の効果】
【０００５】
本発明のコイルは、一定巻数のコイルパターンを非導電性基材のうえに印刷し、これらを複数枚積層し、それぞれの基板上のコイルをスルーホールにて電気的に接続した積層コイル基板を複数枚直列に接続することで、コイルの巻数を任意に設定できるため、モータの使用条件に最適なコイルを製作することが可能である。
【発明を実施するための最良の形態】
【０００６】
以下、本発明の最良の形態を、図面とともに説明する。
【実施例１】
【０００７】
実施例１について図１をもとに説明する。図１において１、２、３はあらかじめ決められた巻数のコイルパターンを積層して作られた積層コイルである。図１の（ａ）は積層コイルが３枚積層されているのを示した斜視図であり、（ｂ）は電気的接続図である。図１では、３枚の積層コイルをさらに積層して直列に接続した例を示している。積層コイル１枚の巻数をｎとすれば直列に接続したコイル全体の巻数は３ｎになる。図１（ｂ）から明らかなように、巻数ｎの各コイルが直列に接続されており全体では３ｎの巻数になる。
【０００８】
このように１枚の積層コイルの巻数を小さめに設定しておき、これらを任意に複数枚直
列接続することでコイルの巻数を任意に設定することが可能になる。
また積層コイルは、厚みが数μｍ〜数１０μｍ程度コイルパターンを複数枚積層して任意の巻数を得ているが、その製造上で積層できる厚みに限界があるため、巻数が数百ターンも必要な場合は１枚の積層コイルでコイルを構成することは不可能である。したがって、本発明のように積層コイルを複数枚直列に接続することで、巻数が百ターンを越えるような場合でも、必要な巻数を容易に得ることが可能になる。
【産業上の利用可能性】
【０００９】
本発明の積層コイルは、薄型モータに最適であり、回転数や電圧仕様が様々である光メディア用スピンドルモータなどの用途に非常に有用である。
【図面の簡単な説明】
【００１０】
【図１】（ａ）本発明実施例１における積層コイルの斜視図、（ｂ）本発明実施例１における積層コイルの電気的接続図
【図２】従来の積層コイルを示した図
【符号の説明】
【００１１】
１、２、３  積層コイル
１１１、１１２、１１３、１１４、１１５  非導電性基材
１１６、１１７、１１８、１１９  コイルパターン
【図１】
2006067671.tif 000003
【図２】
2006067671.tif 000004
(57)【要約】【課題】本発明の目的は、無線電話機を提供することである。【解決手段】本発明の無線電話機は、正面に帯形状の液晶表示部を備えたことを特徴としている。  【選択図】  図７
2006067015.tif 000002
【特許請求の範囲】
【請求項１】
正面に帯形状の液晶表示部を備えた無線電話機
【発明の詳細な説明】
【技術分野】
【０００１】
本発明は、無線電話機に関する。
【発明の概要】
【０００２】
本発明に係る無線電話機は、正面に帯形状の液晶表示部を備えてなる。
【図面の簡単な説明】
【０００３】
【図１】図１は、実施形態に係る無線電話機の正面図である。
【図２】図２は、実施形態に係る無線電話機の背面図である。
【図３】図３は、実施形態に係る無線電話機の平面図である。
【図４】図４は、実施形態に係る無線電話機の底面図である。
【図５】図５は、実施形態に係る無線電話機の右側面図である。
【図６】図６は、実施形態に係る無線電話機の左側面図である。
【図７】図７は、実施形態に係る無線電話機の斜視図である。
【図８】図８は、実施形態に係る無線電話機の内部機構を省略したＡ−Ａ端面図である。
【図９】図９は、実施形態に係る無線電話機の開いた状態の正面図である。
【図１０】図１０は、実施形態に係る無線電話機の開いた状態の背面図である。
【図１１】図１１は、実施形態に係る無線電話機の開いた状態の平面図である。
【図１２】図１２は、実施形態に係る無線電話機の開いた状態の右側面図である。
【図１３】図１３は、実施形態に係る無線電話機の開いた状態の斜視図である。
【図１４】図１４は、実施形態に係る無線電話機の透明部分及び透光性を有する部分を示す参考正面図であり、図中において斜め格子模様で表した部分は透明であり、斜線で表した部分は透光性を有する。
【図１５】図１５は、実施形態に係る無線電話機の透光性を有する部分を示す開いた状態の参考正面図であり、図中において斜線で表した部分は、透光性を有する。
【図１６】図１６は、実施形態に係る無線電話機の通電状態を示す参考拡大正面図である。
【図１】
2006067015.tif 000003
【図２】
2006067015.tif 000004
【図３】
2006067015.tif 000005
【図４】
2006067015.tif 000006
【図５】
2006067015.tif 000007
【図６】
2006067015.tif 000008
【図７】
2006067015.tif 000009
【図８】
2006067015.tif 000010
【図９】
2006067015.tif 000011
【図１０】
2006067015.tif 000012
【図１１】
2006067015.tif 000013
【図１２】
2006067015.tif 000014
【図１３】
2006067015.tif 000015
【図１４】
2006067015.tif 000016
【図１５】
2006067015.tif 000017
【図１６】
2006067015.tif 000018
(57)【要約】【課題】優れた効能を有する胡椒を無理のない形で日常的に摂取することを可能とする調理方法及び調理品を提供する。【解決手段】未成熟の青い胡椒の実を、事前に塩水で茹でて青臭さを除去した後、笊に上げて水気を切る。つぎに、これを醤油、砂糖や味醂等の甘味料、紹興酒や日本酒等の酒類、水と共に鍋に入れ、胡椒の実が軟らかくなるまで５〜６時間煮詰めることによってグリーンペパーの佃煮を得る。【効果】このグリーンペパーの佃煮は、胡椒の実をメインの食材に据えており、日本人の嗜好に合ったピリ辛の味付けに仕上がっているため、様々な効能を備えた胡椒を毎日の食卓において自然に摂取することが可能となる。【特許請求の範囲】
【請求項１】
未成熟の青い胡椒の実と、醤油と、砂糖や味醂等の甘味料と、酒類とを煮詰めて得られるグリーンペパーの佃煮。
【請求項２】
上記酒類が、紹興酒であることを特徴とする請求項１に記載のグリーンペパーの佃煮。
【請求項３】
未成熟の青い胡椒の実と、醤油と、砂糖や味醂等の甘味料と、酒類と、水を鍋に入れ、胡椒の実が軟らかくなるまで煮詰めることを特徴とするグリーンペパーの佃煮の製造方法。
【請求項４】
未成熟の青い胡椒の実を、事前に塩水で茹でておくことを特徴とする請求項３に記載のグリーンペパーの佃煮の製造方法。
【発明の詳細な説明】
【技術分野】
【０００１】
この発明は佃煮に係り、特に、未成熟の青胡椒（グリーンペパー）を主原料とした佃煮及びその製造方法に関する。
【背景技術】
【０００２】
胡椒はコショウ科に属する熱帯性の常緑ツル植物であり、その実は古来より香辛料として珍重されてきた。そして現在でも、胡椒は香辛料の王様として世界中で様々な料理に利用されている。
香辛料としての胡椒には様々な種類があり、完熟前に収穫した実を皮ごと乾燥させたものが黒胡椒であり、完熟した実の皮を剥いて乾燥させたものが白胡椒である。また、完熟前に収穫した実を乾燥させずに塩漬けや酢漬けしたものは、グリーンペパーと呼ばれてステーキ等のソースに利用されている。
【０００３】
胡椒の辛味成分であるピペリンには、抗菌作用や防腐作用の他、血流の増加、エネルギー代謝の促進、脂肪燃焼促進、食欲増進等の効果があり、香り成分であるモノテルピンには脳の活性化や記憶力、集中力を向上させる効果が認められるため、ストレス社会に生きる現代人は心身の健康を維持するためにも胡椒を日常的に摂取することが望ましいといえる。
【０００４】
【非特許文献１】食材紹介／胡椒／コショウ［平成１６年９月２日検索］  インターネットURL:http://www.santo-syokuhin.co.jp/tokushu/2002_11-1/
【発明の開示】
【発明が解決しようとする課題】
【０００５】
しかしながら、胡椒は紀元前の昔から現在に至るまで、肉料理の臭み消しに代表される香辛料としての謂わば添え物的な利用法がメインであり、胡椒の実自体を主な食材として利用する調理方法が存在しなかった。
このため、胡椒は上記のような顕著な効能を有する優れた食材でありながら、我々はこれを積極的に摂取する機会に恵まれて来なかったといわざるを得ない。
【０００６】
この発明は、上記の如き従来の問題を解決するためになされたものであり、優れた効能を有する胡椒を無理のない形で日常的に摂取することを可能とする調理方法及び調理品を提供することを目的としている。
【課題を解決するための手段】
【０００７】
上記の目的を達成するため、この発明に係るグリーンペパーの佃煮は、未成熟の青い胡椒の実と、醤油と、砂糖や味醂等の甘味料と、酒類（日本酒や紹興酒）とを煮詰めて得られることを特徴としている。
また、この発明に係るグリーンペパーの佃煮の製造方法は、未成熟の青い胡椒の実と、醤油と、砂糖や味醂等の甘味料と、酒類と、水を鍋に入れ、胡椒の実が軟らかくなるまで煮詰めることを特徴としている。この場合、未成熟の青い胡椒の実を事前に塩水で茹でておき、グリーンペパーの青臭さを除去しておくことが望ましい。
【発明の効果】
【０００８】
この発明に係るグリーンペパーの佃煮及びその製造方法は、上記のように胡椒の実をメインの食材に据え、これに各種調味料を加えて調理
品としての佃煮を形成するものである。そして、言うまでもなく佃煮は日本人に馴染みが深く、ご飯のおかずや酒の肴として人気が高いため、様々な効能を備えた胡椒を毎日の食卓において自然に摂取することが可能となる。
また、胡椒それ自体はシャープな味わいを備えており、これに醤油と砂糖、味醂、酒等による甘辛の味付けが絶妙にマッチし、これまでにないピリ辛の美味を実現している。
しかも、上記のように未成熟の青い胡椒の実を皮を剥かずそのまま利用しているため、その色彩と丸みが見た目にも鮮やかで食欲をそそり、皮の歯応えが良好な食感を生み出している。
また、紹興酒を添加することにより、表面に適度な艶や光沢を付与することができる。
【０００９】
これに対し、完熟した胡椒の実を使うと表皮が硬く艶も出ないため、これほど美味しく見た目にも映える佃煮を得ることはできない。
もっとも、完熟前とはいっても、あまり若すぎる胡椒の実では煮詰める過程で収縮して丸みがなくなり、食感も今一つとなるため、完熟する直前の絶妙のタイミングで収穫された胡椒の実を用いることが望ましい。
【発明を実施するための最良の形態】
【００１０】
以下において、この発明に係るグリーンペパーの佃煮の具体的な製造方法の一例を説明する。
［材料］
青い胡椒の実（グリーンペパー）・・・５００ｇ
醤油・・・１２０ｍｌ
色づけ醤油（老抽／ろうちゃう）・・・２４０ｍｌ
砂糖・・・１００ｇ
紹興酒・・・６０ｍｌ
水・・・１５００ｍｌ
【００１１】
［調理方法］
(1) グリーンペパーの青臭さを取り除くため、塩水でグリーンペパーを２０分間ボイルした後、笊に上げて水気を除去する。
(2) ボイルしたグリーンペパーと醤油、色づけ醤油、砂糖、紹興酒、水を鍋に入れ、蓋をして煮る。
この際、最初は強火を維持し、沸き上がったら弱火に調節する。
また、３０分毎に鍋の水を軽く掻き混ぜる。
(3) 約５〜６時間経過後、胡椒の粒を手で軽く潰せる状態であることを確認できたら、鍋の蓋を開け、弱火で鍋の水がなくなるまで煮詰める。
(57)【要約】【課題】電位依存性カルシウムチャネルβサブユニット過剰発現マウス【解決手段】サイトメガロウイルス由来のプロモーター下流に電位依存性カルシウムチャネルβサブユニットを挿入し、マウス受精卵前核に前記外来性遺伝子を注入し、全身性に同遺伝子を発現するマウス系列を確立した。電位依存性カルシウムチャネルβサブユニット過剰発現マウスでは交感神経刺激に対する反応性が増加している。電位依存性カルシウムチャネルβサブユニット過剰発現マウスは、交感神経刺激伝達機構における電位依存性カルシウムチャネルの役割を調べるための有用なモデルマウスである。【選択図】なし【特許請求の範囲】
【請求項１】
外来性遺伝子組み込みによる電位依存性カルシウムチャネルβサブユニットを過剰発現するマウス系列  
【発明の詳細な説明】
【技術分野】
【０００１】
本発明は、電位依存性カルシウムチャネルβサブユニット過剰発現マウス系列に関するものである。
【背景技術】
【０００２】
電位依存性カルシウムチャネルは神経伝達物質放出のトリガーとなる神経終末におけるカルシウムの流入経路として重要である。電位依存性カルシウムチャネルはα、β、γ、α２およびδの５つのサブユニットにより構成される。なかでもβサブユニットはチャネルを通る電流量、チャネルの電気的特性を制御するだけでなく、細胞膜上のチャネルの数を決定する上でも重要と考えられている。
【０００３】
βサブユニットは４種類の遺伝子があるが、なかでもβ３は神経系においてN型チャネル、血管平滑筋ではL型チャネルの構成因子であることが知られている。
【０００４】
本発明は、電位依存性カルシウムチャネルβ３サブユニットを過剰に発現したマウスを作ることにより、カルシウムチャネルの生理的役割を調べることを目的とした。サイトメガロウイルス由来のプロモーター下流に電位依存性カルシウムチャネルベータサブユニットを挿入し、全身性に同遺伝子を発現するマウス系列を確立した。マウス受精卵前核に前記外来性遺伝子を注入し（図１A）、外来性βサブユニット遺伝子のクロモゾームへの取り込みをサザン解析で（図１B）、マウス脳における外来性遺伝子の発現はウエスタン法で確認した（図１C）。
【０００５】
交感神経終末におけるN型チャネルは、交感神経系による自律神経制御に重要と考えられている。ランゲンドルフ法による単離心臓の解析によると、上記βサブユニット過剰発現マウスでは交感神経による制御機構が異常に亢進していることが判明し、交感神経におけるβサブユニットの重要性を確認した。
【非特許文献１】八木  健編集  「ジーンターゲッティングの最新技術」羊土社  ２０００年
【発明の開示】
【発明が解決しようとする課題】
【０００６】
解決しようとする問題点は、電位依存性カルシウムチャネルβサブユニット過剰発現マウスにおける交感神経刺激に対する反応を判定することにより、電位依存性カルシウムチャネルβサブユニットの交感神経刺激機構における重要性を判定することにある。
【課題を解決するための手段】
【０００７】
ランゲンドルフ法による単離心臓標本を作製し、電気刺激（交感神経終末を刺激し、かつ心臓のペースメーキングには影響を及ぼさない高頻度のテタヌス刺激）により心臓標本内に存在する交感神経終末よりノルアドレナリンを放出させ、心臓標本の内圧変化を測定した。
【発明の効果】
【０００８】
電位依存性カルシウムチャネルβサブユニット過剰発現マウスでは電気刺激に対し、有意に反応性が増加していた（図２）。イソプロテレノールに対する反応には異常が認められなかったことから、交感神経終末からのノルアドレナリン放出が減少したためと、考えられる。
【産業上の利用可能性】
【０００９】
慢性心不全では低下した不全心の拍出量を高めるため、交感神経の緊張が亢進していることが知られている。このメカニズムにより心筋の酸素消費が亢進し、結果的には、さらなる心不全の悪化をきたすことになる。電位依存性カルシウムチャネルβサブユニット過剰発現マウスでは交感神経終末からのノルアドレナリン放出が増加していると考えられるので、交感神経の緊張が亢進しているはずであり、交感神経の機能を調べる上で有用なモデルマウスである。さらに、電位依存性カルシウムチャネルβサブユニットは交感神経の刺激伝達機構において重要な制御メカニズムを担うことが明らかとなったので、新しい薬物標的分子としても注目される。
【図面の簡単な説明】
【００１０】
【図１】電位依存性カルシウムチャネルβサブユニット過剰発現マウス系列を作製するための外来性遺伝子の模式図（A）、サザン解析による過剰発現マウスの同定（B）、およびウエスタン法による脳におけるβサブユニットの過剰発現の証明（C）。
【図２】電位依存性カルシウムチャネルβサブユニット過剰発現マウス（A）およびコントロールマウス（B）における心内圧の増加反応。電気刺激に対する反応性がβサブユニット過剰発現マウスで増加していた。イソプロテレノールに対する反応性には異常は認められなかった。電気刺激に対する反応を統計処理した総括図（C）。電位依存性カルシウムチャネルβサブユニット過剰発現マウスでは電気刺激により心内圧が有意に増加していた。
【図１】
2006067931.tif 000002
【図２】
2006067931.tif 000003
(57)【要約】【課題】飼い犬の運動不足やストレスを解消する施設を提案する。【解決手段】敷地を囲繞するフェンスと敷地全域に敷設された人工芝からなり、前記フェンスは上段に鋼線を経緯に配設し格子状としたフェンスパネルが配設され、下段に不透視の板状パネルが配設されたことを特徴とするもので、敷地の全域に亘って人工芝が敷設されているので、犬の脚に負担がかかりにくく、この人工芝の上で転がったりして遊んだりすることができるし、汚れの除去のための洗浄などが容易である。又、フェンスの下段のパネルを不透視にすることにより、敷地内の犬と敷地外の犬とのトラブルを防ぐことができる。又、フェンスの上段のパネルは人の視線を遮らないので、敷地外の様子も分かり安心である。【選択図】        図１
2006067923.tif 000002
【特許請求の範囲】
【請求項１】
敷地を囲繞するフェンスと敷地全域に敷設された人工芝からなり、前記フェンスは上段に鋼線を経緯に配設し格子状としたフェンスパネルが配設され、下段に不透視の板状パネルが配設されたことを特徴とするドッグラン。
【発明の詳細な説明】
【技術分野】
【０００１】
本発明は、犬にリードを付けずに自由に運動させたり、躾けたりするためのドッグランに関する。
【背景技術】
【０００２】
従来犬を飼うには住宅の敷地内に犬小屋を設置し、庭に放し飼いをしたり、犬小屋に鎖でつなぐなどしていた。又、犬の運動のために飼い主が歩道などの公道で鎖につないだ犬を散歩させていた。
【発明の開示】
【発明が解決しようとする課題】
【０００３】
しかしながら、前記のように住宅の庭で飼われる犬は、運動不足のためにストレスが溜まりやすく、住宅前の道路を通行している歩行者や住宅を訪れた来客に吠えたり、飛びかかるなどの問題があった。又、孤独な環境で飼われる犬はストレスのために病気になり易いという問題があった。
【０００４】
そこで本発明者は前記した飼い犬の運動不足やストレスを解消するため犬を鎖などで束縛せずに自由に運動させるための施設を提案する。
【課題を解決するための手段】
【０００５】
本発明ドッグランは、敷地を囲繞するフェンスと敷地全域に敷設された人工芝からなり、前記フェンスは上段に鋼線を経緯に配設し格子状としたフェンスパネルが配設され、下段に不透視の板状パネルが配設されたことを特徴とするもので、敷地の全域に亘って人工芝が敷設されているので、犬の脚に負担がかかりにくく、この人工芝の上で転がったりして遊んだりすることができるし、汚れの除去のための洗浄などが容易である。又、フェンスの下段のパネルを不透視にすることにより、敷地内の犬と敷地外の犬とのトラブルを防ぐことができる。又、フェンスの上段のパネルは人の視線を遮らないので、敷地外の様子も分かり安心である。
【発明の効果】
【０００６】
本発明ドッグランは、敷地を囲繞するフェンスと敷地全域に敷設された人工芝からなり、前記フェンスは上段に鋼線を経緯に配設し格子状としたフェンスパネルが配設され、下段に不透視の板状パネルが配設されたことを特徴とするもので、敷地の全域に亘って人工芝が敷設されているので、犬の脚に負担がかかりにくく、この人工芝３の上で転がったりして遊んだりすることができるし、汚れの除去のための洗浄などが容易である。又、フェンスの下段のパネルを不透視にすることにより、敷地内の犬と敷地外の犬とのトラブルを防ぐことができる。又、フェンスの上段のパネルは人の視線を遮らないので、敷地外の様子も分かり安心である。以上本発明ドッグランによれば犬を鎖などで束縛することなく、自由に走り回らせることができるので、犬の運動不足やストレスを解消することができる。
【発明を実施するための最良の形態】
【０００７】
以下、図面を参照しながら本発明に付いて説明する。
図１は本発明ドッグランの実施形態の一例を示す平面図である。図に於いて１はフェンスであり、敷地の外周を囲繞している。フェンス１の一部には門扉２が取り付けられて敷地内への出入り口となされている。敷地には人工芝３が全域に亘って敷設されている。
【０００８】
門扉２が取り付けられた近傍は更に敷地が分割され、第２の門扉２が取り付けられている。この出入り口近くのフェンス１で仕切られた小スペースは、ドッグランへの出入りの空間であるとともに、シャワー４やリードポール５が設けられ、犬が遊んだ後に汚れを取ったり、リードを引っかけ犬と休憩することができる空間とされる。
【０００９】
敷地の大スペースには、ドッグウォーク６、犬用トイレ７、ベンチ８やデッキ９が配設されており、犬が敷地内の人工芝の上を走り回るだけでなく、様々な種類の躾けを犬にできる。
【００１０】
敷地を囲繞するフェンス１は上下に異なったパネルが取り付けられており、上段のパネルは鋼線を経緯に配設した格子状のパネルであり、下段のパネルは不透視の板状のパネルが用いられる。この例における不透視の板状のパネルとしては、合成樹脂を基体としてこの基体の表裏にアルミ合金箔を貼着したパネルが用いられる。表面のアルミ合金箔にはポリエステル塗装が施されており、美麗で防汚性に優れる。下段のパネルを不透視にすることにより、敷地内の犬と敷地外の犬とのトラブルを防ぐことができる。又、上段のパネルは人の視線を遮らないので、敷地外の様子も分かり安心である。
【００１１】
フェンス１に取り付けられる門扉２は、スプリング付のヒンジが用いられ、開いた状態で手を離すと自動的に閉じるようになっている。門扉２が自動的に閉じるようになっているので、門扉２が開いたままとなって、犬が外に出てしまい難い。又敷地の大スペースは小スペースとフェンスで仕切られているので、犬が敷地外に勝手に出る可能性が更に少ない。
【００１２】
ドッグウォーク６は犬の訓練設備であり、傾斜路や地表と平行な平行棒などからなっており、犬に高所を歩かせることにより、人とのコミュニケーションを図り、犬を躾けることができるものである。
【００１３】
犬用トイレ７は人工芝３を一部剥離し、コンクリート、砂、土、芝などを配設しその中央にポールを立設したものであり、犬の嗜好に応じて、犬の排尿環境を犬に選択させることができ、犬にストレスが溜まりにくい。
【００１４】
敷地の全域に亘って人工芝３が敷設されているので、犬の脚に負担がかかりにくく、この人工芝３の上で転がったりして遊んだりすることができる。天然の芝ではなく人工芝３としたのは、人工芝３が天然の芝よりも耐久性に優れるのと汚れの除去のための洗浄などが容易であるからである。
【図面の簡単な説明】
【００１５】
【図１】本発明ドッグランの実施形態の一例を示す平面図である。
【符号の説明】
【００１６】
１    フェンス
２    門扉
３    人工芝
４    シャワー
５    リードポール
６    ドッグウォーク
７    犬用トイレ
８    ベンチ
９    デッキ
【図１】
2006067923.tif 000003
(57)【要約】【課題】      釣り針への釣り糸の繋留を、結び目を作ることなくワンタッチ操作によって行ない得るようにしようとするものである。【解決手段】  釣り針を構成する軸部の上方部に、釣り糸を係合させ得る環部を形成するとともに、軸部に沿わせて軸棒を配置し、軸棒の基部を軸部の下方部に固定したことを特徴とする釣り針。【選択図】    図２
2006067924.tif 000002
【特許請求の範囲】
【請求項１】
軸部２の上方部に、釣り糸３を係合させ得る環部４を形成するとともに、軸部２に沿わせて軸棒５を配置し、軸棒５の基部を軸部２の下方側に取り付け固定したことを特徴とする釣り針。
【請求項２】
釣り糸３を係合させ得る環部４が、その内部に釣り糸３を差し入れ得る間隙部６を有するものである請求項１記載の釣り針。
【発明の詳細な説明】
【技術分野】
【０００１】
この発明は、鮎の友釣り等の際に使用する釣り針の改良に関するものである。
【背景技術】
【０００２】
鮎の友釣りに使用する仕掛７は、図１に示すように、釣り糸８の先端に鼻環９を取り付けるとともに、釣り糸８の中間部に背針１０や逆針１１等の釣り針を配置した構成となっているのが普通であるが、従来の仕掛にあっては、釣り糸８に背針１０や逆針１１等の軸部を沿わせた状態にして別の釣り糸を巻き付けて固定したり、あるいは、釣り針に自動ハリス止を取り付け、自動ハリス止めによって釣り糸に繋留した構成となっているのが普通である。
【０００３】
しかし、釣り針の軸部に釣り糸を沿わせて別の釣り糸で巻き付け固定するという方法を採った場合、取り付けの手間が面倒であるとともに、抜け止めのために接着剤での固定が必要となり、一度固定してしまうと移動させるができなくなるのである。鮎の友釣りを行なう場合、オトリ鮎の大きさにより、背針や逆針の位置を移動させる必要があるのであるが、背針や逆針を釣り糸に固定してしまった場合、サイズの異なったオトリ鮎に使用する際には、仕掛全体を取り換えなければならなくなってしまうのである。
また、釣り糸を釣り針に結び付けたり、自動ハリス止によって繋留した場合、結び目個所や自動ハリス止での挟み込み個所での強度が低下し、その部分で釣り糸が切断されてしまうことになるのである。
【発明の開示】
【発明が解決しようとする課題】
【０００４】
この発明は、逆針や背針等の釣り針にあって、単なる軸部への釣り糸の巻き付けにより釣り糸への取り付が出来るようにすることによって、従来のものにみられた欠点を除去しようとするものである。
【課題を解決するための手段】
【０００５】
この発明は、釣り針を構成する軸部の上方部に、釣り糸を係合させ得る環部を形成するとともに、軸部に沿わせて軸棒を配置し、軸棒の基部を軸部の下方部に固定した構成とし、釣り糸への取り付けに際しては、釣り糸を軸棒と軸部との間に挟み入れた状態とした後、軸部と軸棒とを一緒して巻き付け、最後に、釣り糸を環部に通し、あるいは、間隙部から釣り糸を差し入れて環部に係合させるという方法によって行ない得る構成となっているのである。
【発明の効果】
【０００６】
この発明は、軸部に釣り糸を沿わせた状態にして使用する釣り針にあって、背部に配置された軸棒と軸部との間に仕掛糸を挟み入れた状態とした後、軸部と軸棒とを一緒して巻き付け、釣り糸を環部に係合させるというワンタッチ操作によって、釣り糸に取り付け得るという利点があるとともに、釣り糸に結び目が形成されないため、釣り糸の強度を損なうことがなく、より細い釣り糸の使用が可能になるという利点があるのである。
【０００７】
また、一旦釣り糸に取り付けた後でも、釣り糸を環部から外し、軸への巻き付けを解くことによって、釣り糸から簡単に外すことができ、鮎釣り用の逆針や背針として使用した場合、仕掛を取り換えることなく、ワンタッチ操作により、オトリ鮎のサイズに適合させ得るという利点があるのである。勿論、鮎の友釣り用の仕掛以外にも使用することが可能であり、その場合も、結び目を形成することなく、ワンタッチ操作によってハリスに繋留させることができ、釣り糸の強度を損なうことのない仕掛を形成し得るという利点があるのである。
【実施例】
【０００８】
図面に基づいてこの発明の実施例を説明すると、釣り針本体１は、図２並びに図３に示すとおり、軸部２の上方部に、釣り糸３を係合させ得る環部４を形成するとともに、軸部２に沿わせて軸棒５を配置し、軸棒５の基部を軸部２の下方部に取り付け固定し、環部４の側部に、釣り糸３を差し入れ得る間隙部６を形成した構成となっているのである。
【０００９】
すなわち、軸部２は、その下方部を屈曲させてフック状に形成するとともに、その先端部を先尖り状に加工した構成となっており、その上端部には、釣り糸３を挿通させ得る大きさの環部４を形成した構成となっており、環部４には、釣り糸３を差し入れ得る間隙部６が形成された構成となっているのである。
【００１０】
軸棒５は、軸部２の長さと略同じ長さに裁断した線材をもって構成されており、その上端部が軸部２に形成した環部４の中心位置になるようにして軸部２の背側に配置させ、その下方端部にハンダ付等の加工によりにより取り付け固定した構成となっているのである。
【００１１】
この発明にかかる釣り針本体１は、上記のような構成であって、釣り糸３への取り付けに際しては、図５に示すとおり、釣り糸３を軸棒５と軸部２との間に挟み入れた状態とした後、軸部２と軸棒５とを一緒して巻き付け、最後に、仕掛糸３を環部４に通し、あるいは、間隙部６から仕掛糸３を差し入れて環部４に係合させるという方法によって行なわれるのである。
【図面の簡単な説明】
【００１２】
【図１】釣り針の使用例を示す側面図である。
【図２】釣り糸への取り付け状態を示す側面図である。
【図３】釣り針の構成を示す分解斜視図である。
【図４】釣り針の構成を示す斜視図である。
【図５】釣り糸への取り付け状態を示す斜視図である。
【符号の説明】
【００１３】
１  釣り針本体
２  軸部
３  釣り糸
４  環部
５  軸棒
６  間隙部
【図１】
2006067924.tif 000003
【図２】
2006067924.tif 000004
【図３】
2006067924.tif 000005
【図４】
2006067924.tif 000006
【図５】
2006067924.tif 000007